(57)【要約】      （修正有）【課題】建造物の縦樋の一部を二重構造の筒状体に置き換えることで、施工が容易で熱効率に優れた構造となった雨樋凍結防止装置を提供する。【解決手段】雨樋凍結防止装置は、内筒１１の外周面に電熱ヒータ１５を装着して形成した内筒部材と、前記内筒部材に被装した断熱部材２０と、前記断熱部材２０に外嵌固定した外筒部材３０とを備え、前記内筒部材の長手方向両端には、前記縦樋８１を挿着固定するソケット部１１ａを有する。前記筒状体の両端部近傍に設けられ、前記内筒１１の外周面及び前記外筒部材３０の外周面に密着して前記外筒部材３０の両開放端を閉塞する蓋部材４０を備えた。前記電熱ヒータ１５は面状ヒータであることが好ましい。前記雨樋凍結防止装置は、前記建造物の縦樋８１の下部に取り付けることが好ましい。【選択図】図４
0003175540.tif 000002
【実用新案登録請求の範囲】
【請求項１】
建造物の縦樋の一部を二重構造の筒状体に置き換えた雨樋凍結防止装置であって、
内筒の外周面に電熱ヒータを装着して形成した内筒部材と、
前記内筒部材に被装した断熱部材と、
前記断熱部材に外嵌固定した外筒部材とを備え、
前記内筒部材の長手方向両端には、前記縦樋を挿着固定するソケット部を有することを特徴とする雨樋凍結防止装置。
【請求項２】
前記筒状体の両端部近傍に設けられ、前記内筒の外周面及び前記外筒部材の外周面に密着して前記外筒部材の両開放端を閉塞する蓋部材を備えた請求項１に記載の雨樋凍結防止装置。
【請求項３】
前記電熱ヒータは面状ヒータである請求項１又は２に記載の雨樋凍結防止装置。
【請求項４】
前記雨樋凍結防止装置は、前記建造物の縦樋の下部に取り付けた請求項１乃至３のうちのいずれか１項に記載の雨樋凍結防止装置。
【考案の詳細な説明】
【技術分野】
【０００１】
本考案は、雨樋凍結防止装置に関する。更に詳しくは、本考案は、施工が容易で熱効率に優れる雨樋凍結防止装置に関する。
【背景技術】
【０００２】
家屋などの建造物の雨樋は、冬季に低温に見舞われると、内部に溜った水が凍結し膨張により、破損を招くことがある。また、軒樋においても、氷柱ができてその重みから同様に破損を生ずる場合がある。
従来の雨樋の凍結防止装置として、配管内部に電熱線を通すものが挙げられる。これは、既設の雨樋を使用するため簡単に施工できる反面、雨樋の形状によっては電熱線を挿入できないこともあり、また、発熱部が長くなるにつれ消費電力が増し、熱効率も良いとはいえなかった。
【０００３】
ここで、例えば、特許文献１に示す雨樋凍結防止装置が提案されている。この雨樋凍結防止装置は、軒樋の上方開口部を塞ぎ暖気を２次的に対流させる軒樋カバーと、軒樋カバーの内側に暖気を１次的に対流させる対流カバーと、前記軒樋に接続され雨水を排水する縦樋と、縦樋に暖気を供給する熱風発生装置とから構成される。
この雨樋凍結防止装置によれば、冷気が熱風発生装置を通過することにより暖気となり、縦樋の凍結を防止するとともに縦樋を介して軒樋にも暖気が流れていく。
【先行技術文献】
【特許文献】
【０００４】
【特許文献１】特開２００８−１７５０４７
【考案の概要】
【考案が解決しようとする課題】
【０００５】
しかし、この雨樋凍結防止装置は、雨樋とは別個に、外部に熱風発生装置を備える必要があり、熱を送風により供給するため、その間の熱の移動による損失が回避できない。
本考案は、前記の従来の問題を解決するものであり、施工が容易で熱効率に優れる雨樋凍結防止装置を提供することを目的とする。
【課題を解決するための手段】
【０００６】
前記課題を解決するための本考案は、以下の通りである。
本考案は、以下の通りである。
１．建造物の縦樋の一部を二重構造の筒状体に置き換えた雨樋凍結防止装置であって、内筒の外周面に電熱ヒータを装着した内筒部材と、前記内筒部材に被装した断熱部材と、前記断熱部材に外嵌固定した外筒部材とを備え、前記内筒の長手方向両端には、前記縦樋を挿着固定するソケット部を有することを特徴とする雨樋凍結防止装置。
２．前記筒状体の両端部近傍に設けられ、前記内筒の外周面及び前記外筒部材の外周面に密着して前記外筒部材の両開放端を閉塞する蓋部材を備えた１．に記載の雨樋凍結防止装置。
３．前記電熱ヒータは面状ヒータである１．又は２．に記載の雨樋凍結防止装置。
４．前記雨樋凍結防止装置は、前記建造物の縦樋の下部に取り付けた１．乃至３．のうちのいずれか１項に記載の雨樋凍結防止装置。
【考案の効果】
【０００７】
１．本考案の雨樋凍結防止装置は、建造物の縦樋の一部を筒状体に置き換えるものであるため、施工が容易である。この筒部材は、二重構造であり、内筒の外周面に電熱ヒータを装着した内筒部材と、前記内筒部材に被装した断熱部材と、前記断熱部材に外嵌固定した外筒部材とを備えているため、電熱ヒータによって、直接内筒部材を加熱することができ、更に断熱部材を備えているため、熱効率に優れることができる。
そして、内筒部材の長手方向両端には、前記縦樋を挿着固定するソケット部を有しているため、縦樋の一部を切断し、両端のソケット部に縦樋を装着することにより、容易に施工が完了する。
２．前記筒状体の両端部近傍に設けられ、前記内筒の外周面及び前記外筒部材の外周面に密着して前記外筒部材の両開放端を閉塞する蓋部材を備えていることにより、電熱ヒータ及び断熱材の密閉性を確実にすることができる。
３．前記電熱ヒータは面状ヒータである場合には、内筒全体を均一に効率よく加熱することができる。
４．前記雨樋凍結防止装置は、前記建造物の縦樋の下部に取り付けることにより、上昇気流によって、暖気が上昇し、下方からの熱を縦樋から軒樋までの雨樋全体に亘って効率よく温度上昇をさせることができる。
【図面の簡単な説明】
【０００８】
【図１】本考案の実施形態に係る雨樋凍結防止装置を建造物の縦樋に取り付けた状態を示す模式的な斜視図である。
【図２】本考案の実施形態に係る雨樋凍結防止装置の模式的な斜視図である。
【図３】図２におけるＡ−Ａ断面図である。
【図４】図２におけるＢ−Ｃ断面図である。
【図５】本考案の実施形態に係る雨樋凍結防止装置において、外周面に電熱ヒータを装着した内筒部材を示す模式的な斜視図である。
【考案を実施するための形態】
【０００９】
以下、本考案の実施形態を示す図１〜５を参照しながら本考案を詳しく説明する。
尚、本考案は、かかる図に記載された具体例に示すものに限られず、目的、用途に応じて種々変更したものとすることができる。
【００１０】
本考案の「雨樋凍結防止装置」は、建造物の縦樋の一部を二重構造の筒状体に置き換えたものであって、内筒の外周面に電熱ヒータを装着した内筒部材と、前記内筒部材に被装した断熱部材と、前記断熱部材に外嵌固定した外筒部材とを備え、前記内筒部材の長手方向両端には、前記縦樋を挿着固定するソケット部を有することを特徴とする。
【００１１】
図１に示すように、「建造物９０」は、屋根を有する建造物であれば、特に限定されるものではなく、一般住宅、倉庫、工場などが挙げられる。
図１に示す建造物９０は、雨樋８０を備えており、雨樋８０は、屋根の軒先に取り付けられている軒樋８２及びそれに接続する縦樋８１からなる。通常、雨水は軒樋８２に溜り、縦樋８１に流入し、次いで、排水管８５に排出される。
ところが、冬季に低温に見舞われると、雨樋８０内の雨水が凍結し、内部に溜った水が凍結し膨張により、破損を招くことがある。また、軒樋８２においても、氷柱ができてその重みから同様に破損を生ずる場合がある。
特に、図１に示すように、エアコンの室外機９５が縦樋８１付近に設置してある場合には、室外機から冷風が噴出し一層縦樋９５が冷却されて更に凍結が促進されやすい。
【００１２】
本考案を具体化した「雨樋凍結防止装置１」は、図１に示すように、縦樋８１の一部を二重構造の筒部材に置き換えたものである。凍結防止装置１は、縦樋８１の一部を切断して、雨樋凍結防止装置１の上下両端のソケット部に、その切断した両端部を挿着することにより、施工する。このため、施工が容易である。
雨樋凍結防止装置１は、図１に示すように、縦樋８１の下部に取り付けられていることが好ましい。こうすることで、上昇気流によって、暖気が上昇し、下方からの熱を縦樋８１から軒樋８２までの雨樋８０全体に亘って効率よく温度上昇をさせることができる。
【００１３】
雨樋凍結防止装置１は、図２〜４に示すように、内筒１１の外周面に電熱ヒータ１５を装着した内筒部材１０と、内筒部材１１に被装した断熱部材１５と、断熱部材１５に外嵌固定した外筒部材１２とを備え、内筒部材の長手方向両端には、縦樋を挿着固定するソケット部１１ａを有している。
【００１４】
「内筒部材１０」は、内筒１１の外周面に電熱ヒータ１５を装着して形成されている。内筒１１は、
図４に示すように、筒状であって、その内部が縦樋の内部と連結している。内筒１０の材質は特に限定はないが、断熱効果を高めるため、合成樹脂であることが好ましい。硬質塩化ビニル樹脂であれば、好適に使用できる。
【００１５】
内筒部材１１の外周面には、図５に示すように、電熱ヒータ１５が装着されている。電熱ヒータ１５は電源を用いて加熱できれば特に限定はないが、図５に示すように、面状ヒータであることが好ましい。面状ヒータを用いることによって内筒部材１１全体を均等に効率よく加熱することができる。
面状ヒータ１５は、薄板からなる発熱抵抗体１５ａを絶縁シートで１５ｂで被覆して形成される。面状ヒータ１５の数、取付方法についても特に限定されず、図５に示すように、３枚の面状ヒータ１５を直列に接続して用いることもできる。面状ヒータ１５は電源ケーブル５０のリード線５０ａに接続される。
電熱ヒータの消費電力は、特に限定はないが、４０〜１００ワット（Ｗ）であることが好ましく、５０〜８０ワット（Ｗ）であることが更に好ましく、５５〜６５ワット（Ｗ）であることが特に好ましい。
【００１６】
図４に示すように、内筒１１の長手方向両端には、縦樋８１を挿着固定するためのソケット部１１ａを有している。ソケット部１１ａは、図４に示すように、内筒１１とは別体に設け、内筒１１の外周面に挿着固定することができる。また、内筒１１の内周面に挿着固定するようにしてもよい。更に、ソケット部１１ａは、内筒１１と一体に形成されていてもよい。
【００１７】
「断熱部材２０」は、内筒部材１０に被装して形成され、外部との断熱性を向上させるための部材である。断熱性を有する部材であればその材質は特に限定はないが、断熱効果の高いものであることが好ましい。例えば、発泡スチロールや発泡ウレタン等を挙げることができる。
【００１８】
「外筒部材３０」は、断熱部材２０に外嵌固定する部材であり、外装を形成する。外筒部材１２も内筒１１と同様、材質は特に限定はないが、断熱効果を高めるため、合成樹脂であることが好ましい。硬質塩化ビニル樹脂であれば、好適に使用できる。
【００１９】
「蓋部材４０」は、図２及び図４に示すように、筒状体の両端部近傍に設けられ、内筒１１ａの外周面及び外筒部材３０の外周面に密着して外筒部材３０の両開放端を閉塞する。こうすることで、電熱ヒータ及び断熱材の密閉性を確実にすることができる。
蓋部材４０の材質は特に限定はないが、断熱効果を高めるため、合成樹脂であることが好ましい。硬質塩化ビニル樹脂であれば、好適に使用できる。
【符号の説明】
【００２０】
１；雨樋凍結防止装置、１０；内筒部材、１１；内筒、１１ａ；ソケット部、１５；電熱ヒータ（面状ヒータ）、１５ａ；発熱抵抗体、１５ｂ；絶縁シート、２０；断熱部材、３０；外筒部材、４０；蓋部材、５０；電源ケーブル、５０ａ；リード線、８０；雨樋、８１；縦樋、軒樋；８２、８５；排水口、９０；建造物、９５；室外機
【図１】
0003175540.tif 000003
【図２】
0003175540.tif 000004
【図３】
0003175540.tif 000005
【図４】
0003175540.tif 000006
【図５】
0003175540.tif 000007